(57)【要約】【課題】フロア材の固定が容易に行え、フロア材同士の隙間が生じにくく、端部との間にフロア材が入らないという不具合を防止できる。【解決手段】床下地材Ｓ上に、基材シート２から温水パイプ３が突出する温水シート１を敷設し、温水シート上に温水パイプが挿入される下方に開口した溝部１５，１６を有しかつ少なくとも長手方向に雄実１１と雌実１２とが加工された長尺状のフロア材を必要枚数だけ載置し固定する。雌実にやとい実１７を固定した旋回溝付フロア材１０Ａをスタートフロア材として用意し、それを温水シートの端部に合わせて一列に釘打ち固定し、スタートフロア材の雄実側およびやとい実側の双方に２列目のフロア材１０Ｂ，１０Ｄをその雌実を係合させて載置しその雄実部を利用して釘打ち固定する。同様に先に固定したフロア材の雄実と次列のフロア材の雌実とを係合させて載置しその雄実部を利用して釘打ち固定する。【選択図】  図９
2004244992.tif 000002
【特許請求の範囲】
【請求項１】
床下地材上に、基材シートから温水パイプあるいは熱線ヒータである熱源部が突出している熱源シートを敷設し、前記熱源シート上に前記熱源部が挿入される下方に開口した溝部を有しかつ少なくとも長手方向に雄実と雌実とが加工された長尺状のフロア材を必要枚数だけ載置し固定するようにした床暖房におけるフロア材の施工方法であって、
雌実側にやとい実を固定したフロア材をスタートフロア材として用意し、それを前記熱源シートの端部に合わせて一列に釘打ち等により固定する工程、該固定したスタートフロア材の雄実側およびやとい実側の双方に２列目のフロア材をその雌実を係合させて載置しその雄実部を利用して釘打ち等により固定する工程、および、該先に固定したフロア材の雄実と次列のフロア材の雌実とを係合させて載置しその雄実部を利用して釘打ち等により固定することを必要回数繰り返す工程とを少なくとも有することを特徴とする床暖房用フロア材の施工方法。
【請求項２】
前記熱源部は、並列する複数の直線熱源部と、該直線熱源部を連結する曲線熱源部とを有しており、前記スタートフロア材は、前記曲線熱源部が挿入される旋回溝部を有することを特徴とする請求項１に記載の床暖房用フロア材の施工方法。
【請求項３】
前記スタートフロア材のやとい実を固定して雄実とした側に固定されるフロア材として、雄実側に固定されるフロア材の疑似溝模様と同じ疑似溝模様を有しており、長辺側の雄実と雌実のみが反転した形状とされたフロア材を使用することを特徴とする請求項１又は２に記載の床暖房用フロア材の施工方法。
【発明の詳細な説明】
【０００１】
【発明の属する技術分野】
本発明は、床暖房装置に使用するフロア材の施工方法に係り、特に、床暖房用の温水シート等の上部に精度良くフロア材を固定することができる床暖房用フロア材の施工方法に関する。
【０００２】
【従来の技術】
従来、この種の床暖房装置に使用する温水シートや、熱線ヒータを備える加熱シート等の熱源シートは、アルミニウム箔や樹脂等の基材シートから温水パイプや熱線ヒータが突出して固定されている。温水パイプ等は床表面の広い面積を覆うように、例えばＵターン状に旋回して蛇行され、温水パイプ等のピッチは７５ｍｍ程度の間隔で形成されている。そして、熱源シートの上部に施工されるフロア材には温水パイプや熱線ヒータが挿入される下方開口の溝部が温水パイプ等のピッチに合わせて形成されている。
【０００３】
このような床暖房装置に使用するフロア材の施工方法としては、温水シートや熱線ヒータを備える熱源シートを床下地材上に仮固定し、熱源シートの上部に溝付のフロア材を順次固定している。すなわち、部屋の中に温水シートを施工する位置の墨出しを行い、それに合わせて温水シートを仮固定する。そして、シート位置から部屋の一方の端部までの距離を測って、部屋の端部から溝なしの周辺フロア材を固定する。周辺フロア材を固定したあと、温水シート上に溝付フロア材を固定する。溝付フロア材を順次固定して温水シート上を固定し終えたあと、溝のない周辺フロア材を部屋の他方の端部まで固定している。
【０００４】
また、従来の別の床材として、部屋の中央から張り始める床施工の際に、板状基材の嵌合突部と嵌合溝部の両方に釘又はステープルを簡単にしかも精度良くしっかりと打ち込むことが可能な床板は、板状基材の相対向する側面に互いに嵌合可能な嵌合突部と嵌合溝部を設けており、嵌合突部の下側に形成される下側凹段部に、嵌合突部の上側に形成される上側凹段部の側端面位置より突出する補強部が設けられ、また、嵌合溝部の溝内下面を形成する下側突状部の上面には、補強部に対応する切欠部が設けられている（例えば、特許文献１参照）。
【０００５】
【特許文献１】
特開２００２−２９４９８７号公報（特許請求の範囲、図１，２）
【０００６】
【発明が解決しようとする課題】
ところで、前記のフロア材の施工方法は、温水シートの位置から部屋の端部までの距離が長い場合、周辺フロア材を固定している間に施工により誤差が生じて、温水シート上に溝付フロア材を固定する際に、周辺フロア材と溝付フロア材との間や、周辺フロア材と部屋の端部との間に隙間が生ずる不具合が発生することがあり、固定されたフロア材と部屋の端部にフロア材が入らない等の不具合も発生していた。
【０００７】
また、前記の床材は、１列目の床材は雄実に相当する嵌合突部に釘を打ち込んで固定すると共に、雌実に相当する嵌合溝部に連続する切欠部にも釘を打ち込んで固定しているが、嵌合突部への釘の打ち込みは容易であるが嵌合溝部側の釘の打ち込みは施工しにくく、床材の表面に傷をつけてしまうことがあり、その場合は補修が必要となり、施工が煩雑となっている。
【０００８】
本発明は、このような問題に鑑みてなされたものであって、その目的とするところは、温水シート等の熱源シート上にフロア材を固定する際に、フロア材への釘等の打ち込み等による固定が容易であり、フロア材の表面へ傷や凹みを付けることを防止でき、フロア材同士の隙間が発生しにくく、フロア材が部屋の端部との間に入らないといった不具合を防止できる床暖房用フロア材の施工方法を提供することにある。
【０００９】
【課題を解決するための手段】
前記目的を達成すべく、本発明に係る床暖房用フロア材の施工方法は、床下地材上に、基材シートから温水パイプあるいは熱線ヒータである熱源部が突出している熱源シートを敷設し、前記熱源シート上に前記熱源部が挿入される下方に開口した溝部を有しかつ少なくとも長手方向に雄実と雌実とが加工された長尺状のフロア材を必要枚数だけ載置し固定するようにした床暖房におけるフロア材の施工方法であって、雌実側にやとい実を固定したフロア材をスタートフロア材として用意し、それを前記熱源シートの端部に合わせて一列に釘打ち等により固定する工程、該固定したスタートフロア材の雄実側およびやとい実側の双方に２列目のフロア材をその雌実を係合させて載置しその雄実部を利用して釘打ち等により固定する工程、および、該先に固定したフロア材の雄実と次列のフロア材の雌実とを係合させて載置しその雄実部を利用して釘打ち等により固定することを必要回数繰り返す工程とを少なくとも有する。やとい実とは、雌実に嵌合して固定され、その突出側が雄実として機能して雌実に嵌合するものであり、棒状のものが好ましい。
【００１０】
前記のごとく構成された本発明の床暖房用フロア材の施工方法は、予め雌実側にやとい実を固定したフロア材をスタートフロア材として用意し、温水シート等の熱源シート上に、その端部に合わせてスタートフロア材を一列に釘打ち等により固定する。このスタートフロア材は、両側の長辺の雄実およびやとい実を用いて釘止めが確実にできるため床下地材上に確実に固定でき、表面の突板に凹みや傷つけることを防止できる。
【００１１】
そして、このようにして確実に固定されたスタートフロア材を基準として、スタートフロア材の雄実側およびやとい実側の双方に２列目のフロア材をその雌実を係合させて載置しその雄実部を利用して釘打ち等により固定する。このあと、３列目以降の次列のフロア材を必要回数繰り返して、部屋の端部までフロア材を固定する。このようにスタートフロア材の両側に順次固定するフロア材は、雌実を係合し雄実を利用して釘打ち等で固定できるため、フロア材の表面を傷めることなく、また部屋の中央部のスタートフロア材から両側に向けてフロア材を固定するため、隙間の発生を少なく抑えることができ精度良く固定できる。なお、釘打ちに限らず、ステープル打ちやネジの打ち込みにより固定してもよい。
【００１２】
また、本発明に係る床暖房用フロア材の施工方法の好ましい具体的な態様としては、前記熱源部は、並列する複数の直線熱源部と、該直線熱源部を連結する曲線熱源部とを有しており、前記スタートフロア材は、曲線熱源部が挿入される旋回溝部を有することを特徴としている。この構成によれば、スタートフロア材の旋回溝部に熱源シートの曲線熱源部を挿入して、スタートフロア材の端部を確実に固定できるため、このスタートフロア材を基準として雄実側およびやとい実側の双方に２列目以降のフロア材を順次、精度良く固定できる。
【００１３】
さらに、本発明に係る床暖房用フロア材の施工方法の好ましい具体的な他の態様としては、前記スタートフロア材のやとい実を固定して雄実とした側に固定されるフロア材として、雄実側に固定されるフロア材の疑似溝模様と同じ疑似溝模様を有しており、長辺側の雄実と雌実のみが反転した形状とされたフロア材を使用することを特徴としている。この構成によれば、スタートフロア材の一方の側に固定するフロア材と、他方の側に固定するフロア材の表面意匠を合わせることができ、床面の意匠を統一することができる。
【００１４】
【発明の実施の形態】
以下、本発明に係る床暖房用フロア材の施工方法の一実施形態を図面に基づき詳細に説明する。図１（ａ）は、本実施形態に係る床暖房用フロア材の施工方法に使用する熱源シートとして温水シートの斜視図、（ｂ）はそのＡ−Ａ線の沿う要部断面図、図２は、図１の温水シートを床下地材上にフロア材で挟んで固定した状態の要部断面図である。
【００１５】
図１，２において、本発明の床暖房用フロア材の施工方法は、例えば合板等を捨て張りした床下地材Ｓ上に、熱源シートとして温水シート１を敷設し、温水シート１上にフロア材１０を載置し、温水シート１を床下地材Ｓとフロア材１０で挟んで釘打ち等により固定する。温水シート１はアルミニウム箔や樹脂等の基材シートとして例えばアルミシート２から、熱源部として温水パイプ３が突出し、被覆シート４で被覆されており、フロア材１０には温水パイプ３が挿入される下方に開口した溝部１５，１６が形成されている。アルミシート２及び被覆シート４の厚さは、０．１〜０．２ｍｍ程度に設定される。
【００１６】
温水シート１の温水パイプ３は、並列する複数の直線熱源部５と、直線熱源部を連結する曲線熱源部６とを有している。すなわち、直線熱源部５の端部は曲線熱源部６で連結され、温水シート１の広い範囲を加熱できるように温水パイプ３が蛇行した状態で敷設されている。なお、直線熱源部５のピッチ（Ｐ）は７５ｍｍ程度に設定され、両端のピッチは（Ｐ／２）に設定され、温水パイプ３の外径は５〜８ｍｍ程度に設定されている。温水パイプ３の２つの端部３ａには、図示していないコネクタ等が接続され、給湯器等の熱源器に接続される。アルミシート２には直線熱源部５に沿って所定の間隔でアルミカット部７が形成されている。このアルミカット部７は床下地材Ｓとフロア材１０とを接着剤で固定するためもので、アルミシート２及び被覆シート４を貫通している。
【００１７】
つぎに、この温水シート１上に固定されるフロア材１０を、図３〜６を参照して説明する。フロア材１０は、例えば長辺方向の長さが約１８００ｍｍ、短辺方向の幅が約３００ｍｍの長方形をしており、厚さは１２〜１５ｍｍ程度の合板から形成され、上面には突き板等の表面仕上げ材が貼られて疑似溝模様を有している。そして、対向する長辺の一方には雄実１１が形成され、他方には雌実１２が形成され、同様に対向する短辺の一方には雄実１３が形成され、他方には雌実１４が形成されている。雌実１４は、凹部の下方が長辺方向に突出する、あご出し実となっている。なお、あご出し実でなくてもよいことは勿論である。
【００１８】
フロア材１０は、温水シート１上に固定される旋回溝付フロア材１０Ａ、平行溝付フロア材１０Ｂと、温水シート１の周囲に固定される溝のない周辺フロア材１０Ｄ，１０Ｅがある。旋回溝付フロア材１０Ａは曲線熱源部６が挿入できるように下面側に向けて開口した旋回溝部１５が形成され、図３の上方の長辺には雄実１１が形成され、下方の長辺には雌実１２が形成されている。旋回溝部１５の開口端部のピッチ（Ｐ）は例えば７５ｍｍと同じに設定され、フロア材の両短辺と第一の溝部との間隔は前記のピッチの半分（Ｐ／２）に設定されている。このため、フロア材１０は長辺方向に連続して設置したときでも溝部の間隔は等しくなって、同一ピッチとなる。
【００１９】
そして、旋回溝付フロア材１０Ａは、温水シート１上のスタートフロア材として使用され、その雌実１２に後述するやとい実１７を固定して、他方の雄実とする。なお、旋回溝部１５は内周溝部と外周溝部とを２重に形成した例を示したが、１重でもよく、また外周溝部は円弧で形成してもよい。
【００２０】
平行溝付フロア材１０Ｂは、図４に示すように直線熱源部５が挿入できるように短辺方向に沿って並列に多数の平行溝部１６が下面側に向けて開口して形成されており、上方の長辺には雌実１２が形成され、下方の長辺には雄実１１が形成されている。平行溝部１６のピッチ（Ｐ）も例えば７５ｍｍと同じに設定され、フロア材の両短辺と第一の溝部との間隔は前記のピッチの半分（Ｐ／２）に設定されている。この平行溝付フロア材１０Ｂは、旋回溝付フロア材１０Ａとは実形状が上下反転しているため、表面の疑似溝模様が反転した形状とされた反転フロア材となっている。
【００２１】
旋回溝付フロア材１０Ａを上下反転した図５の旋回溝付フロア材１０Ｃは、温水シート１上のエンドフロア材として使用する。旋回溝付フロア材１０Ｃは上方の長辺には雌実１２が形成され、下方の長辺には雄実１１が形成され、下面側には温水シート１の他方側の曲線熱源部が挿入される下方に開口した旋回溝部１５が形成されている。
【００２２】
また、図６ａに示す溝のない周辺フロア材１０Ｄと、図６ｂに示す実形状を変更した反転周辺フロア材１０Ｅが使用される。この反転周辺フロア材１０Ｅは、通常の周辺フロア材１０Ｄと同じ上面の疑似溝模様を有し、長辺方向の雄実１１と雌実１２とが反転しているものである。すなわち、通常の周辺フロア材１０Ｄは図６ａに示すように上方の長辺には雄実１１が形成され、下方の長辺には雌実１２が形成されているが、反転周辺フロア材１０Ｅは上方の長辺には雌実１２ａが形成され、下方の長辺には雄実１１ａが形成され、左右の短辺の実形状も反転して右辺に雄実１３ａ、左辺に雌実１４ａが形成されている。
【００２３】
なお、前記の周辺フロア材１０Ｄと反転周辺フロア材１０Ｅとは点対称となっているが、フロア材の上面の疑似溝模様が同じであり、長辺側の実形状を反転するだけで短辺の実形状を反転しない線対称の反転周辺フロア材（図示せず）と、前記の長辺の実形状を反転して短辺の実形状を変更した点対称の反転周辺フロア材１０Ｅのどちらを使用してもよい。
【００２４】
前記の如く構成された本実施形態の床暖房用フロア材の施工方法について、図７〜９を参照して説明する。先ず、図９ａのように、床下地材Ｓ上に温水シート１を敷設する位置の墨出しを行う。通常、温水シート１は部屋の周辺部には設置されないため、墨出しは部屋の中央部において行われる。そして、部屋の壁面等の端部２０から所定の距離２１だけ離してマーク２２を墨出しし、このマーク２２に合わせて温水シート１を載置し、床下地材Ｓに仮固定する。
【００２５】
温水シート１上に、突出する温水パイプ３が挿入される下方開口の旋回溝部１５を有する旋回溝付フロア材１０Ａを、図９ｂのようにスタートフロア材として一列に釘打ち等により固定する。この旋回溝付フロア材１０Ａは長辺の一方に形成された雌実１２には予めやとい実１７が固定されて雄実とされている。このやとい実１７は、断面形状が楕円形、長方形又は長円形等の棒状をしており、雌実１２に嵌合して接着あるいは釘止めで固定されたときに雄実の形状となる。この結果、スタートフロア材である旋回溝付フロア材１０Ａは、一方の長辺の雄実１１と、他方の長辺のやとい実１７とを用いて釘２５により床下地材Ｓ上に確実に固定（図８ｂ参照）できるため、これを基準として他のフロア材を固定する際にこのフロア材が移動することがなく、また表面の突板に凹みや傷つけることを防止できる。
【００２６】
そして、このようにして確実に固定されたスタートフロア材である旋回溝付フロア材１０Ａを基準として、温水シート１側の一方の雄実であるやとい実１７に２列目の平行溝付フロア材１０Ｂの雌実１２を係合させ、反対側の雄実１１に釘を打ち込んで固定することができる（図９ｂ，ｃ参照）。このとき、スタートの旋回溝付フロア材１０Ａに対して、長辺方向に所定の距離だけ移動させて固定することが好ましい。以下、順次、温水シート１上に３列目以降の次列の平行溝付フロア材１０Ｂを長辺方向に交互に移動させ、固定された雄実に雌実を係合させて載置し、反対側の雄実を利用して釘打ち等により固定する。
【００２７】
このようにして、直線熱源部５に対応する平行溝付フロア材１０Ｂを固定したあと、温水シート１の下方の曲線熱源部６に対応して、旋回溝付フロア材１０Ａを図５のように上下反転してエンドフロア材とした旋回溝付フロア材１０Ｃを、平行溝付フロア材１０Ｂの下方の雄実１１に雌実１２を係合し、反対側の雄実に釘を打ち込んで固定する（図９ｄ参照）。これにより、温水シート１上への５枚のフロア材１０の固定は完了し、温水シート１は本固定される。エンドフロア材（１０Ｃ）はスタートフロア材（１０Ａ）と表面の疑似溝模様が反転しているものを使用すると好ましい。また、図７に示す右下の旋回溝部は１回旋回しているのみなので、エンドフロア材（１０Ｃ）の旋回溝部は、この部分に対応して追加の溝加工を行って、この部分の温水パイプを挿入する必要がある。
【００２８】
このあと、図９ｄのようにスタートフロア材（１０Ａ）の上方と、エンドフロア材（１０Ｃ）の下方に周辺フロア材を固定するが、これはどちらを先に行ってもよい。旋回溝付フロア材１０Ａの上方の雄実１１には、２列目のフロア材として溝のない周辺フロア材１０Ｄの雌実１２を係合して載置し、他方の雄実１１を使用して、この周辺フロア材１０Ｄを床下地材Ｓに釘打ち等により固定し、さらに３列目以降、端部２０まで同様に交互に移動させて固定する。端部２０に接する周辺フロア材１０Ｄは、距離２１を最適に設定することにより、端部２０との間に隙間なく嵌合させることができる。また、エンドフロア材である旋回溝付フロア材１０Ｃの下方の雄実に反転周辺フロア材１０Ｅの雌実１２ａを係合し、反対側の雄実１１ａを利用して床下地材Ｓに釘打ち等により固定する。
【００２９】
このようにスタートフロア材としての旋回溝付フロア材１０Ａを基準として、２列目以降、順次固定する平行溝付フロア材１０Ｂ、旋回溝付フロア材１０Ｃや周辺フロア材１０Ｄ、反転周辺フロア材１０Ｅは、雄実を利用して釘打ち等で床下地材Ｓに固定できるため、フロア材の表面を傷めることなく、また大きな隙間が発生することなく容易に固定できる。
【００３０】
エンドフロア材（１０Ｃ）を固定したあと、溝のない周辺フロア材が部屋の他方の端部まで固定される。反転周辺フロア材１０Ｅは複数列固定される場合もあるが、この場合は最後の反転周辺フロア材１０Ｅは、壁面等の端部までの距離に合わせて所定の幅に切断されて嵌め込まれ固定される。部屋の壁面等の端部２０とフロア材１０とは雄実が対向するため、フロア材が端部との間隔に入らない等の不具合を防止することができる。スタートの旋回溝付フロア材１０Ａの上方に固定される周辺フロア材１０Ｄと、エンドの旋回溝付フロア材１０Ｃの下方側に順次固定される反転周辺フロア材１０Ｅは、表面の疑似溝模様が点対称に形成されている溝なしのフロア材を使用する。
【００３１】
このように床下地材Ｓ上に温水シート１を敷設し、温水シート１上にフロア材１０を固定して構成された床暖房装置は、温水器等から供給される６０℃程度の温水が温水シート１の温水パイプ３の端部３ａにコネクタ等を介して流入して循環し、アルミシート２を熱伝導して上部に固定されたフロア材１０を均一に加熱することで暖房することができる。
【００３２】
なお、前記の実施形態では、１枚の温水シート１を設置し、この温水シート１上にフロア材１０を固定する例を示したが、部屋の大きさに合わせて複数の温水シートを設置し、この上にフロア材を連続して多数固定するようにすることもできる。また、１枚の温水シート上に５枚のフロア材が載置できる形状を示したが、温水シートの大きさは任意の大きさに設定できるものである。
【００３３】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、熱源シートとして温水シートの例を示したが、熱線ヒータ等の電気ヒータを蛇行して固定した加熱シートを使用してもよい。
【００３４】
また、スタートフロア材として、旋回溝付フロア材を用いた例を示したが、平行溝付フロア材をスタートフロア材として用いてもよいことは勿論である。この場合は、後に固定する旋回溝付フロア材と曲線熱源部とが確実に挿入されるように予め割り付けることが必要となる。さらに、フロア材は釘止めによる固定の例を示したが、釘止めと接着剤を併用して固定してもよい。この場合、接着剤は温水シートのアルミカット部に塗布することによりフロア材を床下地材に確実に接着できる。フロア材の表面の疑似溝による模様の代わりに、小さなＲ溝やＶ溝を形成した模様でもよい。
【００３５】
前記の実施形態では、スタートフロア材（１０Ａ）を固定したあと、溝付フロア材１０Ｂを４枚固定し、エンドフロア材（１０Ｃ）を固定してスタートフロア材（１０Ａ）の雄実側の周辺フロア材１０Ｄを固定する例を示したが、スタートフロア材（１０Ａ）の固定後、２列目として溝付フロア材１０Ｂ、周辺フロア材１０Ｄを固定し、順次交互に固定するようにしてもよい。
【００３６】
【発明の効果】
以上の説明から理解できるように、本発明の床暖房用フロア材の施工方法は、フロア材の表面を傷めることなく容易に固定することができ、フロア材同士の隙間を少なくできると共に、部屋の端部との間にフロア材が入らないという不具合を防止できる。
【図面の簡単な説明】
【図１】本発明に係る床暖房用フロア材の施工方法に使用する温水シートの一実施形態を示し、（ａ）は斜視図、（ｂ）はＡ−Ａ線に沿う要部断面図。
【図２】図１の温水シートを床下地材上にフロア材で固定した状態の要部断面図。
【図３】スタートフロア材となる旋回溝付フロア材を示し、（ａ）は正面図、（ｂ）はＢ−Ｂ線断面図、（ｃ）は背面図。
【図４】平行溝付フロア材の背面図。
【図５】図３の旋回溝付フロア材を上下反転したエンドフロア材の背面図。
【図６】（ａ）は周辺フロア材の正面図、（ｂ）は反転周辺フロア材の正面図。
【図７】本発明に係る施工方法の動作説明を示す正面図。
【図８】（ａ）は本発明に係る施工方法の動作を示す断面図、（ｂ）は釘止めした状態の断面図。
【図９】（ａ）〜（ｄ）は施工状態を順次説明する説明図。
【符号の説明】
Ｓ…床下地材、１…温水シート（熱源シート）、２…基材シート、３…温水パイプ（熱源部）、５…直線熱源部、６…曲線熱源部、１０…フロア材、１０Ａ…旋回溝付フロア材（スタートフロア材）、１０Ｂ…平行溝付フロア材、１０Ｃ…旋回溝付フロア材（エンドフロア材）、１０Ｄ…周辺フロア材、１０Ｅ…反転周辺フロア材、１１，１１ａ…雄実、１２，１２ａ…雌実、１５…旋回溝部、１６…平行溝部、１７…やとい実、２２…墨出しのマーク、２５…釘
【図１】
2004244992.tif 000003
【図２】
2004244992.tif 000004
【図３】
2004244992.tif 000005
【図４】
2004244992.tif 000006
【図５】
2004244992.tif 000007
【図６】
2004244992.tif 000008
【図７】
2004244992.tif 000009
【図８】
2004244992.tif 000010
【図９】
2004244992.tif 000011